(57)【要約】【課題】記録媒体を透過した光ビームの影響を低減する。【解決手段】光源１１と、光ディスク１３に対して反対側になる位置に遮光部材１４と光吸収部材１６を配置し、光ディスク１３を透過したレーザ光を光吸収部材１６によって吸収する。これによって、光ディスク１３を透過した後に情報記録再生装置１０１の外部に漏れる光ビームの強度を低減することが可能となる。また、光吸収部材１６によって吸収しきれず入射面で散乱した光ビーム（戻り光）については、遮光部材１４によって遮蔽、又は散乱する。これにより、光検出素子１７へ入射する戻り光の強度を低減することが可能となる。【選択図】図１
2008146731.tif 000002
【特許請求の範囲】
【請求項１】
光ビームに対して透過性を有する光記録媒体に、情報の記録及び再生のうちの少なくとも一方を行う情報記録再生装置であって、
前記光ビームを射出する光源と；
前記光源から射出された光ビームを前記光記録媒体に集光する光学素子と；
前記光記録媒体からの反射光を検出する検出素子と；
前記光記録媒体を透過した光ビームが通過する透過部を有する遮光部材と；
前記透過部を通過した光ビームを吸収する光吸収部材と；を備える情報記録再生装置。
【請求項２】
光ビームに対して透過性を有する光記録媒体に、情報の記録及び再生のうちの少なくとも一方を行う情報記録再生装置であって、
直線偏光とされた前記光ビームを射出する光源と；
前記光源から射出された光ビームを前記光記録媒体に集光する光学素子と；
前記光源と前記光学素子との間の、前記光ビームの光路上に配置され、前記光記録媒体で反射された光ビームを前記光路から分岐する偏光分離素子と；
前記光記録媒体に集光される前に前記光ビームに位相を与える第１の１／４波長板と；
前記偏光分離素子によって前記光路から分岐された光ビームを検出する検出素子と；
前記光記録媒体を透過した光ビームに位相を与える第２の１／４波長板と；
前記第２の１／４波長板を通過した光ビームを吸収する光吸収部材と；を備える情報記録再生装置。
【請求項３】
前記光記録媒体を透過した光ビームが通過する透過部を有する遮光部材を更に備える請求項２に記載の情報記録再生装置。
【請求項４】
前記遮光部材は、前記光ビームが入射する面に前記光ビームを吸収及び散乱する層が形成されていることを特徴とする請求項１又は３に記載の情報記録再生装置。
【請求項５】
前記遮光部材に形成された透過部は、前記記録媒体を透過した光ビームが入射する側から、前記光ビームが射出する側にかけて広くなるように形成されていることを特徴とする請求項１、３、４のいずれか一項に記載の情報記録再生装置。
【請求項６】
前記遮光部材に形成された透過部は、内面が凹凸構造であることを特徴とする請求項１、３〜５のいずれか一項に記載の情報記録再生装置。
【請求項７】
前記遮光部材と前記光吸収部材との間に配置され、前記光ビームの吸収及び散乱のいずれかを行う中間部材を更に備える請求項１、３〜６のいずれか一項に記載の情報記録再生装置。
【請求項８】
前記遮光部材と前記光吸収部材との間から射出される散乱光を遮蔽する遮蔽部材を更に備える請求項１、３〜７のいずれか一項に記載の情報記録再生装置。
【請求項９】
前記光学素子を前記光記録媒体の記録面に対してシークさせるシーク機構を更に備え、
前記遮光部材に形成された開口は、前記光学素子のシーク方向を長手方向とするスリットであることを特徴とする請求項１、３〜８のいずれか一項に記載の情報記録再生装置。
【請求項１０】
前記遮光部材を、前記シーク機構によってシークされる光学素子に追従して移動させる移動機構を更に備える請求項９に記載の情報記録再生装置。
【請求項１１】
前記シーク機構と前記移動機構は共通する駆動機構であることを特徴とする請求項１０に記載の情報記録再生装置。
【請求項１２】
前記光吸収部材は、前記光ビームが入射する面が凹凸構造であることを特徴とする請求項１〜１１のいずれか一項に記載の情報記録再生装置。
【請求項１３】
前記光吸収部材は、前記光ビームが入射する面に、前記光記録媒体に対して突出する反射部材を有していることを特長とする請求項１〜１２のいずれか一項に記載の情報記録再生装置。
【発明の詳細な説明】
【技術分野】
【０００１】
本発明は、情報記録再生装置に係り、更に詳しくは、光記録媒体に対して情報の記録及び再生のうちの少なくとも一方を行う情報記録再生装置に関する。
【背景技術】
【０００２】
近年、デジタル技術の進歩やデータの圧縮技術の向上などにともない、例えばＤＶＤ（digital versatile disc）や、ＢＤ（Blu-ray disc）などの光ディスクが記録媒体として広く普及している。この種の光ディスクは、情報が記録される反射型の記録層を有しているのが一般的であるが、最近では、光ビームに対してほぼ透明な記録層が３次元的に複数形成された光ディスク（以下、体積記録型ディスクという）が提案されている（例えば特許文献１参照）。
【０００３】
この体積記録型ディスクでは、一側の面から入射した光ビームの一部は反射されず、ディスクの内部を透過して他側の面から射出される。このため、記録再生装置の外部へ透過光が散乱することや、記録再生装置の筐体内部で透過光が散乱することなどを回避する技術の確立が重要な課題となる。特に、体積記録型ディスクに関しては、複数の記録層に光ビームを到達させる必要があるため、出力強度の高い光ビームが用いられる。このため、透過光が外部へ散乱することによって人体に危険が生じたり、内部で散乱した透過光が検出素子などに入射し、再生信号のノイズ成分となることなどが予想される。
【０００４】
【特許文献１】特開２００４−２２０７０２号公報
【発明の開示】
【発明が解決しようとする課題】
【０００５】
本発明は、かかる事情の下になされたもので、その目的は、記録媒体を透過した光ビームの影響を低減することが可能な情報記録再生装置を提供することにある。
【課題を解決するための手段】
【０００６】
本発明は第１の観点からすると、光ビームに対して透過性を有する光記録媒体に、情報の記録及び再生のうちのいずれかを行う情報記録再生装置であって、前記光ビームを射出する光源と；前記光源から射出された光ビームを前記光記録媒体に集光する光学素子と；前記光記録媒体からの反射光を検出する検出素子と；前記光記録媒体を透過した光ビームが通過する透過部を有する遮光部材と；前記透過部を通過した光ビームを吸収する光吸収部材と；を備える情報記録再生装置である。
【０００７】
これによれば、光源から射出され光記録媒体を透過した光ビームは、遮光部材に設けられた開口を経て光吸収部材に入射し、光吸収部材では、入射した光ビームのうち大部分が吸収される。したがって、光記録媒体を透過した後に情報記録再生装置の外部に漏れる光ビームの強度を低減することが可能となる。また、光吸収部材によって吸収しきれず入射面で散乱した光ビーム（戻り光）については、その大部分が遮光部材によって遮蔽、又は散乱される。したがって、検出素子へ入射する戻り光の強度を低減することが可能となる。
【０００８】
また、本発明は第２の観点からすると、光ビームに対して透過性を有する光記録媒体に、情報の記録及び再生のうちのいずれかを行う情報記録再生装置であって、直線偏光とされた前記光ビームを射出する光源と；前記光源から射出された光ビームを前記光記録媒体に集光する光学素子と；前記光源と前記光学素子との間の前記光ビームの光路上に配置され、前記光記録媒体で反射された光ビームを前記光路から分岐する偏光分離素子と；前記光記録媒体に集光される前に前記光ビームに位相を与える第１の１／４波長板と；前記偏光分離素子によって前記光路から分岐された光ビームを検出する検出素子と；前記光記録媒体を透過した光ビームに位相を与える第２の１／４波長板と；前記第２の１／４波長板を通過した光ビームを吸収する光吸収部材と；を備える情報記録再生装置である。
【０００９】
これによれば、直線偏光として光源から射出された光ビームは、第１の１／２波長板によって円偏光に変換されて光記録媒体を透過し、第２の１／２波長板によって直線偏光に変換されて光吸収部材に入射する。光吸収部材では、入射した光ビームのうち大部分が吸収されるため、光記録媒体を透過して光記録媒体の外部に漏れる光ビームの強度を大幅に低減することが可能となる。また、光吸収部材によって吸収しきれず入射面で散乱した光ビーム（戻り光）は、第１及び第２の１／４波長板を介して直縁偏光となって偏光分離素子に入射する。この戻り光は、光源から射出される光ビームと同じ向きの直線偏光となっているため、偏光分離素子によって分岐されることなく光源に向かって進む。したがって、検出素子へ入射する戻り光の強度を大幅に低減することが可能となる。
【発明を実施するための最良の形態】
【００１０】
《第１の実施形態》
以下、本発明の第１の実施形態を図１に基づいて説明する。図１は本第１の実施形態に係る情報記録再生装置１０１の主要部を、光ディスク１３とともに示す図である。情報記録再生装置１０１は、光ディスク１３に対して情報の記録及び再生を行う装置であり、図１に示されるように、光源１１、集光レンズ１２、遮光部材１４、光吸収部材１６、偏光ビームスプリッタ１８、光検出素子１７、及び上記各部を統括的に制御する制御装置（不図示）を備えている。
【００１１】
前記光ディスク１３は、不図示の回転機構により鉛直軸回りに回転可能で、かつＸ軸方向及びＺ軸方向に移動可能に配置されている。この光ディスク１３は、一例として、ポリカーボネイト製のディスク基板の上面に複数の記録層が順次積層形成された多層構造の光学情報記録媒体（体積光記録媒体）であり、各記録層に対しては、１光子あるいは２光子吸収によって、空孔形成、屈折率変化を生じさせることにより情報の記録が行われる。なお、記録層としては、例えば、フォトポリマー、フォトクロミック材料、又は有機色素材料、無機の結晶やガラスに不純物をドープした材料などを適用することができる。
【００１２】
前記光源１１は、光ディスク１３の上方に配置され、半導体レーザ光源などが用いられている。そして、光ディスク１３のディスク基板及び記録層に対して透過性を有する波長のレーザ光を鉛直下方に向けて射出する。
【００１３】
前記集光レンズ１２は、光源１１の下方に配置され、光ディスク１３の記録層にレーザ光を集光させる。
【００１４】
前記遮光部材１４は、光ディスク１３の下方に配置されている。この遮光部材１４は、上面に例えばつや消し等の低反射処理が施された不透明の材料からなり、中央には開口部１４ａが形成されている。そして、開口部１４ａが光源１１から射出されるレーザ光の光路上に位置するように、不図示の支持部材等によってほぼ水平に支持されている。なお、本第１の実施形態では、開口部１４ａは空孔となっているが、これに限らず、レーザ光に対して透明性を有する材料が充填されていてもよい。この場合には、表面に反射防止膜を形成することが望ましい。
【００１５】
前記光吸収部材１６は、遮光部材１４の下方に配置されている。この光吸収部材１６は、例えば黒色の樹脂、カーボン等を素材とする板状の部材からなり、レーザ光が入射する入射面及びその少し下部の領域（以下、入射面等という）は、レーザ光を吸収する性質を有している。
【００１６】
前記光検出素子１７は光源１１の近傍に配置され、入射する光ビームに応じた光電変換信号を出力する。
【００１７】
前記偏光ビームスプリッタ１８は、光源１１と集光レンズ１２との間の光路上に配置されている。この偏光ビームスプリッタ１８は、光源１１から射出され上方から入射する光ビームを透過し、光ディスク１３に反射され下方から入射する光ビームを反射あるいは回折により偏向して、光検出素子１７へ入射させる。
【００１８】
上記のように構成された情報記録再生装置１０１では、情報の再生及び記録が行われる際に、光ディスク１３が所定の回転数で回転されるとともに、集光レンズ１２対してＸ軸方向及びＺ軸方向へ不図示の駆動機構によって駆動されることで、記録層に対するトラッキング制御、及びフォーカシング制御が行なわれる。
【００１９】
光ディスク１３へ集光されたレーザ光のうちの一部はフォーカシングされた記録層に反射され、その他の大部分のレーザ光は光ディスク１３を透過する。ここで、説明の便宜上、対物レンズによって光ディスク１３に集光される光ビームを入射光、光ディスク１３の各記録層で反射されるレーザ光を反射光、光ディスク１３を透過するレーザ光を透過光ともいうものとする。
【００２０】
光ディスク１３によって反射された反射光は、集光レンズ１２を介して偏光ビームスプリッタ１８へ入射することにより反射あるいは回折により偏向され、光検出素子１７に受光される。光検出記１７は受光した反射光に応じた光電変換信号（以下、再生信号という）を例えば再生信号検出回路や光ビームの強度を監視するモニタ回路（不図示）などに出力する。
【００２１】
一方、光ディスク１３を透過した透過光は、遮光部材１４の開口部１４ａを透過して光吸収部材１６の入射面へ入射する。光吸収部材１６へ入射した透過光は入射面等で大部分が吸収されるが、一部は入射面で散乱し拡散する。
【００２２】
本第１の実施形態に係る情報記録再生装置１０１では、光源１１から射出され光ディスク１３を透過した光ビームは、遮光部材１４に設けられた開口部１４ａを経て光吸収部材１６に入射し、光吸収部材１６では、入射した光ビームのうち大部分が吸収される。したがって、光ディスク１３を透過した後に情報記録再生装置１０１の外部に漏れる光ビームの強度を低減することが可能となる。また、光吸収部材１６によって吸収しきれず入射面で散乱した光ビーム（戻り光）については、その大部分が遮光部材１４によって遮蔽、又は散乱される。このため、光検出器１７へ入射する戻り光の強度を低減することが可能となる。
【００２３】
なお、光吸収部材１６の入射面で拡散した戻り光の大部分は遮光部材１４で遮光されるが、一部の戻り光は遮光部材１４の開口部１４ａを通過し上方へ進行する。そして、この戻り光は反射光とともに偏光ビームスプリッタ１８により偏向され、光検出素子１７によって受光される結果、ノイズとなって再生信号に重畳されてしまう。しかしながら、その強度は反射光の強度に比べて極めて低く再生信号のＳ／Ｎ比を悪化させることはない。
【００２４】
《第２の実施形態》
次に、本発明の第２の実施形態を図２基づいて説明する。なお、前述した第１の実施形態と同一もしくは同等の構成部分には同一の符号を用いるとともに、その説明を省略もしくは簡略するものとする。
【００２５】
図２は本第２の実施形態に係る情報記録再生装置１０２の主要部を、光ディスク１３とともに示す図である。情報記録再生装置１０２は、光ディスク１３に対して情報の記録及び再生を行う装置であり、図２に示されるように、光源１１、第１の１／４波長板１９Ａ、集光レンズ１２、第２の１／４波長板１９Ｂ、光吸収部材１６、偏光ビームスプリッタ１８’、光検出素子１７、及び上記各部を統括的に制御する制御装置（不図示）を備えている。この情報記録再生装置１０２は、第１の実施形態に係る情報記録再生装置１０１と比較して、偏光ビームスプリッタ１８及び遮光部材１４に代えて偏光ビームスプリッタ１８’及び第２の１／４波長板１９Ｂを有し、更に、集光レンズ１２の上方に第１の１／４波長板が配置され、光源１１からは直線偏光の光ビームが射出される点で相違している。
【００２６】
この情報記録再生装置１０２では、光源１１から射出された直線偏光のレーザ光は、偏光ビームスプリッタ１８’を透過して第１の１／４波長板１９Ａを通過する際に円偏光のレーザ光に変換される。そして、集光レンズ１２によって光ディスク１３の記録層へ集光される。
【００２７】
光ディスク１３へ集光されたレーザ光のうちの一部は各記録層に反射され、大部分のレーザ光は光ディスク１３を透過する。光ディスク１３によって反射された反射光は、集光レンズ１２を介して第１の１／４波長板１９Ａを通過することで直線偏光に変換される。そして、直線偏光に変換されたレーザ光は、偏光ビームスプリッタ１８‘により偏向され光検出素子１７に受光される。
【００２８】
一方、光ディスク１３を透過した透過光は、第２の１／４波長板１９Ｂを通過することで直線偏光に変換された状態で、光吸収部材１６の入射面へ入射する。光吸収部材１６へ入射した透過光は入射面等で大部分が吸収されるが、一部は入射面で散乱し拡散する。
【００２９】
本第２の実施形態に係る情報記録再生装置１０２では、光源１１から射出され光ディスク１３を透過した光ビームは光吸収部材１６に入射し、光吸収部材１６では、入射した光ビームのうち大部分が吸収される。したがって、光ディスク１３を透過した後に、情報記録再生装置１０２の外部に漏れる光ビームの強度を低減することが可能となる。
【００３０】
また、光吸収部材１６の入射面で拡散した戻り光の一部は鉛直上方へ進行し、第２の１／４波長板１９Ｂへ入射する。この戻り光は、第２の１／４波長板１９Ｂを通過することによって円偏光に変換され、さらに第１の１／４波長板１９Ａを通過することで再度直線偏光された状態となり、偏光ビームスプリッタ１８’へ入射する。ここでの戻り光は、光源１１から射出されるレーザ光と同じ向きの直線偏光となるため、偏光ビームスプリッタ１８’を透過し、光検出素子１７へ向けて偏向されることなく光源１１近傍へ到達する。したがって、光検出素子１７へ入射する戻り光の強度が低減され、再生信号に重畳されるノイズを低減することが可能となる。
【００３１】
なお、１／４波長板としては、例えば、石英等の光学結晶を、その複屈折性を利用して構成した物や、有機材料の樹脂を延伸して複屈折性を持たせた材料等を用いることができる。また、偏光ビームスプリッタ１８’としては、偏光フィルム、ホログラム樹脂、又は誘電体多層膜等の材料を用いることができる。
【００３２】
《第３の実施形態》
次に、本発明の第３の実施形態を図３に基づいて説明する。なお、前述した各実施形態と同一もしくは同等の構成部分には同一の符号を用いるとともに、その説明を省略もしくは簡略するものとする。
【００３３】
図３は本第３の実施形態に係る情報記録再生装置１０３の主要部を、光ディスク１３とともに示す図である。情報記録再生装置１０３は、光ディスク１３に対して情報の記録及び再生を行う装置であり、図３に示されるように、光源１１、第１の１／４波長板１９Ａ、集光レンズ１２、第２の１／４波長板１９Ｂ、光吸収部材１６、偏光ビームスプリッタ１８’、光検出素子１７、遮光部材１４、及び上記各部を統括的に制御する制御装置（不図示）を備えている。
【００３４】
この情報記録再生装置１０３は、第２の実施形態に係る情報記録再生装置１０２と比較して、遮光部材１４を備えている点で相違しており、前記第２の１／４波長板１９Ｂは、前記遮光部材１４に設けられた開口部１４ａにはめ込まれている。
【００３５】
本第３の実施形態に係る情報記録再生装置１０３では、光源１１から射出され光ディスク１３を透過した光ビームは光吸収部材１６に入射し、光吸収部材１６では、入射した光ビームのうち大部分が吸収される。
【００３６】
また、光吸収部材１６の入射面で拡散した戻り光は、その大部分が遮光部材１４によって遮蔽、又は散乱され、一部が開口部１４ａにはめ込まれた第２の１／４波長板１９Ｂへ入射する。この戻り光は、第２の１／４波長板１９Ｂを通過することによって円偏光に変換され、さらに第１の１／４波長板１９Ａを通過することで再度直線偏光された状態となり、偏光ビームスプリッタ１８’へ入射する。ここでの戻り光は、光源１１から射出されるレーザ光と同じ向きの直線偏光となるため、偏光ビームスプリッタ１８’を透過し光源１１近傍へ到達する。
【００３７】
本第３の実施形態の情報記録再生装置１０３では、光吸収部材１６の入射面で散乱した戻り光の大部分は、遮光部材１４によって遮蔽、又は散乱されるため、更に、光検出素子１７へ入射する戻り光の強度を低減することができ、再生信号に重畳されるノイズを低減することが可能となる。
【００３８】
なお、本第３の実施形態では、第２の１／４波長板１９Ｂを遮光部材１４の開口部１４ａに配置しているが、これに限らず、遮光部材１４に設けられた開口部１４ａの上方または下方に配置してもよい。
【００３９】
なお、上記第１の実施形態及び第３の実施形態における遮光部材１４において、一例として図４に示されるように、表裏面に光源１１からのレーザ光の波長に対して吸収及び散乱を行う吸収層１４ｂを形成してもよい。この吸収層１４ｂは、遮光部材１４の表裏面につや消し黒色塗装を施すか、レーザ光の吸収及び散乱させる性質を有する材料を塗布、蒸着等することで形成することができる。これより、光検出素子１７へ入射する戻り光の強度を更に低減することができ、再生信号に重畳されるノイズを低減することが可能となる。
【００４０】
また、上記第１の実施形態及び第３の実施形態における遮光部材１４において、一例として図５に示されるように、開口部１４ａを、光ディスク１３を透過した透過光が入射する側から、透過光が射出する側にかけて広くなるような、テーパー形状としてもよい。これにより、光吸収部材１６の入射面で散乱した戻り光のうち、開口部１４ａの内壁面で反射して上方へ戻る戻り光の強度を低減させることができる。
【００４１】
また、開口部１４ａの内壁面は、一例として図６に示されるように、段差状の凹凸構造としてもよい。これにより、光吸収部材１６の入射面で散乱し、開口部１４ａに入射する戻り光に対する光散乱性を向上させることができ、結果的に開口部１４ａを通過して上方へ戻る戻り光の強度を低減させることができる。
【００４２】
また、上記第１の実施形態及び第３の実施形態において、一例として図７に示されるように、遮光部材１４と光吸収部材１６との間に、光ディスク１３を透過した透過光を吸収及び散乱のいずれかを行う性質を有する半透明の中間部材２０を配置してもよい。この中間部材としては、発泡性の樹脂や多結晶性の樹脂を用いることができる。これにより、光ディスク１３を透過して遮光部材１４の開口部１４ａを通過する透過光、及び光吸収部材１６の入射面で散乱した透過光の吸収及び散乱させることができるので、結果的に開口部１４ａを通過して上方へ戻る戻り光の強度を低減させることができる。
【００４３】
また、上記第１の実施形態及び第３の実施形態において、一例として図８に示されるように、遮光部材１４と光吸収部材１６とで規定される空間を、遮蔽部材２１を用いて外部から遮蔽するようにしてもよい。これにより、光吸収部材１６の入射面で散乱した戻り光が前記空間から外部に漏れることを回避することができる。
【００４４】
また、上記各実施形態では、回転する光ディスク１３をＸ軸方向及びＺ軸方向へ駆動することによって、シーク動作等を行なうこととしたが、これに限らず、回転するディスク１３に対して、集光レンズ１２等をＸ軸方向へ駆動してシーク動作を行なう駆動機構を設け、この駆動機構によってシーク動作を行なってもよい。この場合には、図９に示されるように、開口部１４ａをシーク方向（Ｘ軸方向）を長手方向とするスリット形状とすることができる。
【００４５】
また、この場合において、一例として図１０に示されるように、少なくとも集光レンズ１２をはじめとして光源１１等を駆動して光学素子のシーク動作を行なう駆動機構に追従して、少なくとも遮光部材１４をシーク動作に同期して移動させる追従機構を設けてもよい。これにより、開口部１４ａの位置とレーザ光のスポット位置が常時一致するため、開口部１４ａをスリット形状とする場合よりも、開口部１４ａを通過して上方へ進行する戻り光の強度を低減させることが可能となる。また、図１０に仮想線で囲まれた構成部１１,１７,１８,１２,１４,１６を一体的に支持し、１つの駆動機構で光ディスク１３に対して相対移動することによって、シーク動作等を行なってもよい。
【００４６】
また、上記各実施形態において、光吸収部材１６の入射面に、一例として図１１（Ａ）に示されるように、微小な凹凸を形成してもよい。これにより、光吸収部材１６の入射面で散乱の程度を大きくして戻り光が前記空間から外部に漏れることを回避することができる。なお、この入射面の凹凸は、例えば、光吸収部材に金属材料や樹脂材料を用い、気相又は液相でのエッチングやイオンミーリング、材料表面のサンドブラスター処理などを施すことによって形成することができる。また、一例として図１１（Ｂ）に示されるように、光吸収部材１６の入射面上の、遮光部材１４の開口部１４ａの下方に、光ディスク１３に対して突出する反射部材１６ａを配置してもよい。これにより、光ディスク１３を透過して鉛直方向へ進む透過光が拡散されるため、光吸収部材１６の入射面で散乱の程度が大きくなり戻り光が前記空間から外部に漏れることを回避することができる。
【産業上の利用可能性】
【００４７】
以上説明したように、本発明の情報記録再生装置は、光記録媒体に対して情報の記録又は再生を行うのに適している。
【図面の簡単な説明】
【００４８】
【図１】本発明の第１の実施形態に係る情報記録再生装置１０１の概略的な構成を示す図である。
【図２】本発明の第２の実施形態に係る情報記録再生装置１０２の概略的な構成を示す図である。
【図３】本発明の第３の実施形態に係る情報記録再生装置１０３の概略的な構成を示す図である。
【図４】遮光部材１４の変形例を示す図（その１）である。
【図５】遮光部材１４の変形例を示す図（その２）である。
【図６】遮光部材１４の変形例を示す図（その３）である。
【図７】中間部材２０を示す図である。
【図８】遮蔽部材２１を示す図である。
【図９】遮光部材１４の変形例を示す図（その４）である。
【図１０】情報記録再生装置のシーク動作を説明するための図である。
【図１１】図１１（Ａ）及び図１１（Ｂ）は、光吸収部材１６の変形例を示す図（その１、その２）である。
【符号の説明】
【００４９】
１０１,１０２,１０３…情報記録再生装置、１３…光ディスク、１１…光源、１２…集光レンズ、１４…遮光部材、１４ａ…開口部、１４ｂ…吸収層、１６…光吸収部材、１６ａ…反射部材、１７…光検出素子、１８，１８’…偏光ビームスプリッタ、１９Ａ…第１の１／４波長板、１９Ｂ…第２の１／４波長板、２０…中間部材、２１…遮蔽部材。
【図１】
2008146731.tif 000003
【図２】
2008146731.tif 000004
【図３】
2008146731.tif 000005
【図４】
2008146731.tif 000006
【図５】
2008146731.tif 000007
【図６】
2008146731.tif 000008
【図７】
2008146731.tif 000009
【図８】
2008146731.tif 000010
【図９】
2008146731.tif 000011
【図１０】
2008146731.tif 000012
【図１１】
2008146731.tif 000013